(57)【要約】本開示は、流体を保持および送達するための不均一繊維流体リザーバーに関するものである。リザーバーは、コア構成要素および周囲構成要素を有するロッドを含み得る。コア構成要素および周囲構成要素の各々は、繊維を含み得る。コア構成要素は、第１の特性を有し、周囲の構成要素は、第１の特性とは異なる第２の特性を有していてもよく、または、コア構成要素および周囲の構成要素は、それぞれ、同じ特性について異なる値または範囲の値を有していてもよい。あるいは、リザーバーは、繊維を含み、断面直径を有するロッドを含み得る。ロッドの少なくとも１つの特性には、ロッドの断面直径に沿って値が変化してもよい。特性は、例えば、繊維嵩密度、繊維直径、繊維材料、繊維形態、繊維表面張力、毛細管力、流体吸収能力、色、またはそれらの組み合わせが含まれ得る。【選択図】図１
2022501226.tif 000002
【特許請求の範囲】
【請求項１】
繊維を有するコア構成要素と、繊維を有する周囲構成要素とを有するロッドを有するリザーバーであって、前記コア構成要素は第１の特性を有し、前記周囲構成要素は、前記第１の特性とは異なる第２の特性を有する、
リザーバー。
【請求項２】
請求項１記載のリザーバーにおいて、前記第１の特性および前記第２の特性は、繊維嵩密度、繊維直径、繊維材料、繊維形態、繊維表面張力、毛細管力、流体吸収能力、色、およびこれらの組み合わせからなる群から独立して選択される、リザーバー。
【請求項３】
請求項２記載のリザーバーにおいて、前記繊維嵩密度は、約０．０１ｇ／ｃｍ３〜約０．４ｇ／ｃｍ３の範囲である、リザーバー。
【請求項４】
請求項２記載のリザーバーにおいて、前記繊維直径は、約０．５μｍ〜約５０μｍの範囲である、リザーバー。
【請求項５】
請求項２記載のリザーバーにおいて、前記繊維材料は、ポリエステル、ナイロン、アクリル、セルロース、ポリエチレン、ポリプロピレン、ポリビニルアルコール、およびこれらの組み合わせからなるグループから選択される、リザーバー。
【請求項６】
請求項２記載のリザーバーにおいて、前記繊維表面張力は、約３０ｄｙｎ／ｃｍ〜約７０ｄｙｎ／ｃｍの範囲である、リザーバー。
【請求項７】
請求項１記載のリザーバーにおいて、前記第１の特性と前記第２の特性が、約５％、約１０％、約２０％、約５０％、約１００％、および１００％超えからなる群から選択される割合で異なる、リザーバー。
【請求項８】
請求項１記載のリザーバーにおいて、前記コア構成要素の繊維および前記周囲構成要素の繊維がそれぞれ、安定した繊維、連続繊維フィラメント、単一成分の繊維、二成分の繊維、多成分の繊維、繊維トウ、糸、およびこれらの組み合わせからなる群から独立して選択される形態を有する、リザーバー。
【請求項９】
請求項１記載のリザーバーにおいて、前記コア構成要素の繊維および前記周囲構成要素の繊維がそれぞれ、円、三角形、楕円、ピーナッツ、ジグザグ、およびこれらの組み合わせからなる群から独立して選択される断面形状を有する、リザーバー。
【請求項１０】
請求項１記載のリザーバーにおいて、前記ロッドが第１の開放端と第２の開放端を有し、前記ロッドのシャフトは、流体不透過性材料で包囲されている、リザーバー。
【請求項１１】
請求項１記載のリザーバーにおいて、前記ロッドは、毛細管現象によって流体を吸収および放出するように構成され、前記流体の吸収および放出は、前記ロッドの断面直径に沿って変化するように構成される、リザーバー。
【請求項１２】
請求項１１記載のリザーバーにおいて、前記流体はインクである、リザーバー。
【請求項１３】
請求項１記載のリザーバーにおいて、前記リザーバーは筆記具内に収容されるように構成されている、リザーバー。
【請求項１４】
繊維を有するロッドを有するリザーバーであって、
前記ロッドは、断面直径を有し、前記ロッドの少なくとも１つの特性は、前記断面直径に沿って値が変化するものであり、
前記少なくとも１つの特性は、繊維嵩密度、繊維直径、繊維材料、繊維形態、繊維表面張力、毛細管力、流体吸収能力、色、およびこれらの組み合わせからなる群から選択される、
リザーバー。
【請求項１５】
請求項１４記載のリザーバーにおいて、前記少なくとも１つの特性は、前記ロッドの断面直径に沿って線形に変化する、リザーバー。
【請求項１６】
請求項１４記載のリザーバーにおいて、前記ロッドの断面直径に沿って非線形に変化する、リザーバー。
【請求項１７】
請求項１４記載のリザーバーにおいて、前記繊維嵩密度は、約０．０１ｇ／ｃｍ３〜約０．４ｇ／ｃｍ３の範囲である、リザーバー。
【請求項１８】
請求項１４記載のリザーバーにおいて、前記繊維直径は、約０．５μｍ〜約５０μｍの範囲である、リザーバー。
【請求項１９】
請求項１４記載のリザーバーにおいて、前記繊維材料は、ポリエステル、ナイロン、アクリル、セルロース、ポリエチレン、ポリプロピレン、ポリビニルアルコール、およびこれらの組み合わせからなるグループから選択される、リザーバー。
【請求項２０】
請求項１４記載のリザーバーにおいて、前記繊維表面張力は、約３０ｄｙｎ／ｃｍ〜約７０ｄｙｎ／ｃｍの範囲である、リザーバー。
【請求項２１】
請求項１４記載のリザーバーにおいて、前記ロッドの少なくとも１つの特性は、断面直径に沿って、約５％、約１０％、約２０％、約５０％、約１００％、および１００％超えからなる群から選択されるパーセンテージによって変化する、リザーバー。
【請求項２２】
請求項１４記載のリザーバーにおいて、前記繊維は、安定した繊維、連続繊維フィラメント、単一成分の繊維、二成分の繊維、多成分の繊維、繊維トウ、糸、およびこれらの組み合わせからなる群から選択される形態を有する、リザーバー。
【請求項２３】
請求項１４記載のリザーバーにおいて、前記繊維は、円、三角形、楕円、ピーナッツ、ジグザグ、およびこれらの組み合わせからなる群から独立して選択される断面形状を有する、リザーバー。
【請求項２４】
請求項１４記載のリザーバーにおいて、前記ロッドが第１の開放端と第２の開放端を有し、前記ロッドのシャフトは、流体不透過性材料で包囲されている、リザーバー。
【請求項２５】
請求項１４記載のリザーバーにおいて、前記ロッドは、毛細管現象によって流体を吸収および放出するように構成され、前記流体の吸収および放出は、前記ロッドの断面直径に沿って変化するように構成される、リザーバー。
【請求項２６】
請求項２５記載のリザーバーにおいて、前記流体はインクである、リザーバー。
【請求項２７】
請求項１４記載のリザーバーにおいて、前記リザーバーは筆記具内に収容されるように構成されている、リザーバー。
【請求項２８】
少なくとも１つのリザーバーを有する筆記具であって、前記リザーバーは、
繊維を有するコア構成要素と、繊維を有する周囲構成要素とを有するロッドと、
ペン先と
を有し、
前記コア構成要素は第１の特性を有し、前記周囲構成要素は、前記第１の特性とは異なる第２の特性を有し、
前記リザーバーは、インク液を保持し、前記ペン先に送達するように構成される、
筆記具。
【発明の詳細な説明】
【技術分野】
【０００１】
関連出願への相互参照
本出願は、２０１８年９月２０日に出願された「Ｈｅｔｅｒｏｇｅｎｅｏｕｓ  Ｆｉｂｅｒ  Ｆｌｕｉｄ  Ｒｅｓｅｒｖｏｉｒｓ」と題する米国仮出願シリアル番号６２／７３４，０２０の優先権および利益を主張するものであり、その全体が参照により本明細書に組み込まれる。
【０００２】
本開示は、毛細管現象を介して流体を保持および送達するための不均一繊維流体リザーバーに関するものである。
【背景技術】
【０００３】
インクリザーバーのような繊維流体リザーバーは、油性マーカー、ハイライトマーカー、乾式消去マーカーなどの筆記具に広く使用されている。従来のインクリザーバーは均質な構造を採用しており、これは従来のリザーバー内の繊維が均一に分布していることを意味している。従来の均質インクリザーバーの長さまたは断面に沿って、繊維の嵩密度、繊維直径、または毛管力に顕著な違いはなく、この均質性により、リザーバーは全体的に均一な流体吸収および毛管特性を有することになる。米国特許第４，７２９，８０８号、米国特許第４，８２２，１９３号、米国特許第４，９９６，１０７号、米国特許第４，６３９，３９７号、および米国特許第４，５９０，０３２号には、それぞれ従来のインクリザーバーが記載されている。従来のインクリザーバーは、かなりの量のインクを使用するため、コストの増加や持続可能性の低下につながる。さらに、従来のインクリザーバーは、筆記具の耐用年数の終わりに向かって徐々に低下することを示しているため、消費者が筆記具を交換すべき時期を特定することが困難であった。そのため、改善された書き味、必要なインク量の減少、使用期限の表示をより明確にするための急峻なドロップオフを提供することができる、改良されたインクリザーバー構造が必要とされている。
【発明の概要】
【０００４】
本開示は、流体を保持および送達するための不均一繊維流体リザーバーに関するものである。一実施形態では、リザーバーは、コア構成要素および周囲構成要素を有するロッドを含み得る。コア構成要素および周囲構成要素の各々は、繊維を含み得る。いくつかの実施形態では、コア構成要素は、第１の特性を有していてもよく、周囲構成要素は、第１の特性とは異なる第２の特性を有していてもよい。他の実施形態では、コア構成要素および周囲構成要素はそれぞれ、同じ特性に対して異なる値または値の範囲を有していてもよい。例えば、コア構成要素は高い繊維嵩密度を有し、周囲構成要素はコア構成要素よりも低い繊維嵩密度を有していてもよい。
【０００５】
一実施形態では、リザーバーは、繊維を含むロッドを含んでいてもよい。ロッドは、断面直径を有していてもよく、ロッドの少なくとも１つの特性は、ロッドの断面直径に沿って値が変化してもよい。いくつかの実施形態では、ロッドの少なくとも１つの特性は、繊維嵩密度、繊維直径、繊維材料、繊維形態、繊維表面張力、毛細管力、流体吸収能力、色、またはそれらの組み合わせから選択されてもよい。
【図面の簡単な説明】
【０００６】
【図１】図１は、本開示に従った、１４本のロッドの集合体の一実施形態の上面図を示し、各ロッドは、インク含有コア領域と周囲領域とを有する。
【図２】図２は、本開示に従った、コア構成要素と周囲構成要素とを有するロッドの一実施形態を示す概略図である。
【図３】図３は、本開示に従った繊維を有するロッドの一実施形態の概略図を示す。
【図４】図４は、本明細書に記載されている、少なくとも１つのリザーバーおよび／またはロッドを含む筆記具の一実施形態を示す概略図である。
【図５】図５は、（ｉ）２．０グラムのインク充填量での従来の均質インクリザーバーと、（ｉｉ）１．９グラムのインク充填量での本明細書に記載されている不均一インクリザーバーのインク放出プロファイル（メートルの関数としてのｍｇ／メートルでのレイダウンを伴う）を比較したグラフである。
【図６】図６は、（ｉ）６．０グラムのインク充填量での従来の均質インクリザーバーと、（ｉｉ）５．７グラムのインク充填量での本明細書に記載されている不均一インクリザーバーのインク放出プロファイル（メートルの関数としてのｍｇ／メートルでのレイダウンを伴う）を比較したグラフである。
【発明を実施するための形態】
【０００７】
本開示は、記載されている特定のシステム、デバイス、および方法に限定されない。これらは変化する可能性があるからである。説明で使用される用語は、特定のバージョンまたは実施形態を説明することのみを目的としており、本開示の範囲を限定することを意図するものではない。
【０００８】
以下の用語は、本願の目的のために、以下に示すそれぞれの意味を持つものとする。特に定義されていない限り、本明細書で使用されるすべての技術的および科学的用語は、当業者が一般的に理解しているものと同じ意味を有する。本開示のいかなる内容も、本開示に記載された実施形態が、先行発明のためにそのような開示に先行する権利がないことを認めるものと解釈されるべきではない。
【０００９】
本明細書では、単数形の「ａ」、「ａｎ」、および「ｔｈｅ」は、文脈上明らかに他を指示しない限り、複数の参照を含む。したがって、例えば、「繊維」への言及は、当業者に知られている１つまたは複数の繊維およびその同等物への言及である。
【００１０】
本明細書では、「流体」という用語は、固定された形状を持たず、外圧に屈する物質を含む。例えば、流体には気体と液体が含まれる。本明細書で使用する場合、「流体」および「液体」という用語は互換的に使用することができ、本開示の目的のためには、例えば、本明細書に記載されるような不均一繊維流体リザーバーを含む特定のリザーバーによって指示される流れを有する物質を含む。本明細書に記載の流体の例には、筆記具インク、インクジェットインク、化粧品組成物、ファンデーション、香水、日焼け止め、オイル、ゲル、液体治療剤、および他の同様の液体および流体を含むことができる。
【００１１】
特定の実施態様において、本開示は、不均一繊維流体リザーバーに関する。本明細書で使用される場合、「不均一」繊維流体リザーバーは、製造中に単一のリザーバーに結合された異なる識別可能な領域を有し、識別可能な領域は異なる特性を有する。特定の実装形態では、特性は、リザーバーの１つまたは複数の寸法に沿って徐々に変化する可能性がある。他の実装形態では、特性は、リザーバーの１つまたは複数の寸法に沿って急激に変化し得る。いくつかの実装形態では、リザーバーの１つまたは複数の寸法に沿った１つまたは複数の特性の変化は、制御された変化である。
【００１２】
不均一繊維流体リザーバー
ここで議論されているように、改善された書き味（重力に逆らった改善されたインク送達を含む）、必要なインク量の減少、および使用期限の表示をより明確にするための急峻なドロップオフを提供することができる、改良されたインクリザーバー構造の必要性が存在する。不均一繊維流体リザーバーは、そのような改善を提供することができる。
【００１３】
いくつかの実施形態では、リザーバーは、１つまたは複数のロッドを含み得る。一実施形態では、ロッドは、「ロッドリザーバー」と呼ばれることがある。特定の実施形態では、各ロッドは、シリンダーを含み得、実質的に円形の断面形状を有してもよい。いくつかの実施形態では、ロッドは、円形、楕円形、三葉形、正方形、長方形、またはそれらの組み合わせからなる群から選択される断面形状を有し得る。一実施形態では、リザーバーは、筆記具内に収容されるように構成することができる。例えば、図１は、１４個のリザーバーの集合体１００の一実施形態を示しており、各リザーバーは、ロッド１１０を含む。一実施形態では、各ロッドは、１つまたは複数の繊維を含み得る。一実施形態では、各ロッドは、第１の開放端と、任意に第２の開放端とを有し得る。いくつかの実施形態では、ロッドのシャフト（すなわち、開放端（複数可）間の長さ）は、流体不透過性材料で包囲されてもよい。特定の実施形態では、流体不透過性材料は、液体不透過性ポリマーフィルムを有し得る。
【００１４】
特定の実施形態では、ロッドは、コア構成要素と周囲構成要素とを有し得、コア構成要素と周囲構成要素とのそれぞれは、繊維を有し得る。図１は、複数のロッド１１０を有する集合体１００の一実施形態を示しており、各ロッドは、コア構成要素１２０と周囲構成要素１３０とを含んでいる。各ロッド１１０のコア構成要素１２０は、各ロッドの周囲構成要素１３０よりも高い毛細管力を有する。図１のコア構成要素１２０は、一例としてインクで飽和しているが、周囲構成要素１３０はそうではなく、コア構成要素と周囲構成要素との間のウィッキング特性のばらつきや不均一性を示している。具体的には、図１は、ロッド１１０の集合体１００の底部を黒インク溶液に浸した後に撮影した上面図である。図１は、各ロッド内で、黒インクの分布が不均一であることを示している。コア構成要素１２０は、より高い毛細管力を有しており、その結果、重力に逆らって、コア構成要素の底部からコア構成要素の上部へのインクの送達が、周囲構成要素１３０の底部から周囲構成要素の上部へのインクの送達よりも速くなることがわかる。同様に、図２は、コア構成要素１２０および周囲構成要素１３０を有するロッド１１０の一実施形態を示す概略図である。
【００１５】
一実施形態では、ロッド１１０のコア構成要素１２０およびロッドの周囲構成要素１３０は、それぞれ１つまたは複数の特性を有してもよい。いくつかの実施形態では、ロッド１１０のコア構成要素１２０は、第１の特性を有してもよく、ロッドの周囲構成要素１３０は、第２の特性を有してもよい。いくつかの実施形態では、第１の特性は第２の特性と異なっていてもよく、他の実施形態では、第１の特性と第２の特性は同じ特性であっても、値が異なっていてもよい。他の実施形態では、コア構成要素１２０および周辺構成要素１３０はそれぞれ、同じ特性に対して異なる値または値の範囲を有していてもよい。例示すると、例えば、コア構成要素１２０は高い繊維嵩密度を有していてもよく、周囲構成要素１３０はコア構成要素よりも低い繊維嵩密度を有していてもよい。特定の実施形態では、１つ以上の特性、および／または第１の特性と第２の特性は、繊維嵩密度、繊維径、繊維材料、繊維形態、繊維表面張力、毛細管力、流体吸収能力、色、およびこれらの組み合わせからなる群から選択されてもよい。
【００１６】
実施形態では、１つまたは複数の特性のいずれかが、ロッド１１０内の値の範囲にわたって変化し得る。特定の実施形態では、特性は、リザーバーの１つまたは複数の寸法に沿って徐々に変化してもよいが、他の実施形態では、特性は、リザーバーの１つまたは複数の寸法に沿って急激に変化してもよい。いくつかの実施態様では、リザーバーの１つ以上の寸法に沿った１つ以上の特性の変化は、制御された変化である。
【００１７】
いくつかの実施形態では、繊維嵩密度（すなわち、個々の繊維によって形成されるマトリックス密度）は、約０．０１ｇ／ｃｍ３〜約０．４ｇ／ｃｍ３の値の範囲であってもよい。ロッドの任意の構成要素における繊維嵩密度は、例えば、約０．０１ｇ／ｃｍ３、約０．０２ｇ／ｃｍ３、約０．０３ｇ／ｃｍ３、約０．０４ｇ／ｃｍ３、約０．０５ｇ／ｃｍ３、約０．０６ｇ／ｃｍ３、約０．０７ｇ／ｃｍ３、約０．０８ｇ／ｃｍ３、約０．０９ｇ／ｃｍ３、約０．１０ｇ／ｃｍ３、約０．１１ｇ／ｃｍ３、約０．１２ｇ／ｃｍ３、約０．１３ｇ／ｃｍ３、約０．１４ｇ／ｃｍ３、約０．１５ｇ／ｃｍ３、約０．１６ｇ／ｃｍ３、約０．１７ｇ／ｃｍ３、約０．１８ｇ／ｃｍ３、約０．１９ｇ／ｃｍ３、約０．２ｇ／ｃｍ３、０．２１ｇ／ｃｍ３、約０．２２ｇ／ｃｍ３、約０．２３ｇ／ｃｍ３、約０．２４ｇ／ｃｍ３、約０．２５ｇ／ｃｍ３、約０．２６ｇ／ｃｍ３、約０．２７ｇ／ｃｍ３、約０．２８ｇ／ｃｍ３、約０．２９ｇ／ｃｍ３、約０．３ｇ／ｃｍ３、０．３１ｇ／ｃｍ３、約０．３２ｇ／ｃｍ３、約０．３３ｇ／ｃｍ３、約０．３４ｇ／ｃｍ３、約０．３５ｇ／ｃｍ３、約０．３６ｇ／ｃｍ３、約０．３７ｇ／ｃｍ３、約０．３８ｇ／ｃｍ３、約０．３９ｇ／ｃｍ３、約０．４ｇ／ｃｍ３、または、終点を含むこれらの値の任意の２つの間の任意の範囲である。
【００１８】
いくつかの実施形態では、繊維径（すなわち、個々の繊維フィラメントの直径）は、約０．５μｍから約５０μｍの値の範囲であってもよい。ロッドの任意の構成要素における繊維径は、例えば、約０．５μｍ、約１μｍ、約２μｍ、約３μｍ、約４μｍ、約５μｍ、約６μｍ、約７μｍ、約８μｍ、約９μｍ、約１０μｍ、約１１μｍ、約１２μｍ、約１３μｍ、約１４μｍ、約１５μｍ、約１６μｍ、約１７μｍ、約１８μｍ、約１９μｍ、約２０μｍ、約２１μｍ、約２２μｍ、約２３μｍ、約２４μｍ、約２５μｍ、約２６μｍ、約２７μｍ、約２８μｍ、約２９μｍ、約３０μｍ、約３１μｍ、約３２μｍ、約３３μｍ、約３４μｍ、約３５μｍ、約３６μｍ、約３７μｍ、約３８μｍ、約３９μｍ、約４０μｍ、約４１μｍ、約４２μｍ、約４３μｍ、約４４μｍ、約４５μｍ、約４６μｍ、約４７μｍ、約４８μｍ、約４９μｍ、約５０μｍ、または終点を含むこれらの値の任意の２つの間の任意の範囲である。
【００１９】
特定の実施形態では、１つまたは複数の特性は、繊維材料を含み得る。ロッド１１０のいずれかの構成要素１２０、１３０における繊維材料は、例えば、ポリエステル、ナイロン、アクリル、セルロース、ポリエチレン、ポリプロピレン、ポリビニルアルコール、またはそれらの任意の組み合わせもしくはコポリマーであり得る。
【００２０】
いくつかの実施形態では、繊維表面張力は、約３０ｄｙｎ／ｃｍから約７０ｄｙｎ／ｃｍの値の範囲であってもよい。ロッド１１０のいずれかの構成要素１２０、１３０における繊維表面張力は、例えば、約３０ｄｙｎ／ｃｍ、約３５ｄｙｎ／ｃｍ、約４０ｄｙｎ／ｃｍ、約４５ｄｙｎ／ｃｍ、約５０ｄｙｎ／ｃｍ、約５５ｄｙｎ／ｃｍ、約６０ｄｙｎ／ｃｍ、約６５ｄｙｎ／ｃｍ、約７０ｄｙｎ／ｃｍ、または、終点を含むこれらの値のうちの任意の２つの間の任意の範囲であってもよい。
【００２１】
特定の実施形態では、コア構成要素１２０の第１の特性と、周囲構成要素１３０の第２の特性は、パーセンテージで変化または異なっていてもよい。いくつかの実施形態では、特性は、約５％、約１０％、約２０％、約５０％、約１００％、もしくは１００％超え、または、終点を含むこれらのパーセンテージのうちの任意の２つの間の任意の範囲で異なっていてもよい。
【００２２】
いくつかの実施形態では、コア構成要素１２０および周囲構成要素１３０の繊維は、それぞれ独立して、安定した繊維、連続繊維フィラメント、単一成分の繊維、二成分の繊維、多成分の繊維、繊維トウ、糸、またはそれらの組み合わせから選択される形態を有してもよい。他の実施形態では、コア構成要素１２０および周囲構成要素１３０の繊維は、それぞれ独立して、円、三角形、楕円、ピーナッツ、ジグザグ、およびこれらの組み合わせから選択される断面形状を有し得る。
【００２３】
いくつかの実施形態では、本明細書に記載のロッド１１０は、毛細管現象によって流体を吸収および放出するように構成されてもよい。一実施形態では、流体の吸収および放出は、ロッド１１０の断面直径に沿って変化するように構成されてもよい。いくつかの実施形態では、流体の吸収および放出の変動は、ロッド１１０の断面直径に沿った１つまたは複数の特性の変動に起因してもよい。特定の実施形態では、ロッド１１０は、リザーバー内の流体の不均一な、または不均質な分布を提供するように構成されてもよい。本明細書で論じたように、リザーバー内の流体の不均一な分布は、筆記具の場合、使用者の書き味を向上させ、その書き味を提供するために必要なインクの量を減少させ、インクの効率を向上させ、使用者のためのより良い使用期限の表示のために急峻なドロップオフを提供することができる。理論に拘束されることを望むものではないが、例えば、筆記具の１つ以上のロッドから流体が放出されると、典型的には、ロッドの中央の流体のみがペン先に移行する。従来の均質なロッドでは、ロッドの中心内に保持されていない流体は、ペン先への移行に利用できない可能性があり、つまり、その過剰な流体がロッドの中心の外側に位置しているために、そうでなければ有用な流体が筆記具の使用期限の終わりに内部に残される可能性がある。対照的に、本明細書に記載の不均一ロッド１１０は、ロッド１１０内（すなわち、周囲構成要素１３０とコア構成要素１２０との間）の毛細管現象によって、流体が周囲構成要素１３０からコア構成要素１２０に移動し得るように配置されている。したがって、本明細書に記載の不均一ロッド１１０は、従来の均質に分散された対応物よりも多くの流体を放出することができ、不均一ロッド１１０をより効率的かつ効果的にすることができる。
【００２４】
特定の実施形態では、リザーバーは、本明細書に記載されているように、繊維からなるロッドを含み得る。いくつかの実施形態では、ロッドは、断面直径を有してもよく、本明細書で説明する少なくとも１つの特性は、ロッドの断面直径に沿って値が変化してもよい。図３は、例えば、繊維（図示せず）を有するロッド２００の一実施形態の概略図であり、ロッド２００は、断面直径２１０を有し、ロッド２００の少なくとも１つの特性は、断面直径２１０に沿って値（ここでは色／陰影で表される）が変化する。いくつかの実施形態では、少なくとも１つの特性は、断面直径に沿って線形に変化してもよく、他の実施形態では、少なくとも１つの特性は、断面直径に沿って非線形に変化してもよい。いくつかの実施形態では、本明細書に記載のロッド内の少なくとも１つの特性は、図１に示すように、コア構成要素と周囲構成要素との間で急激に変化してもよいが、他の実施形態では、ロッド内の少なくとも１つの特性は、図３に示すように、コア構成要素と周囲構成要素との間で徐々に変化してもよい。例えば、コア構成要素の繊維は、周囲構成要素の繊維の繊維嵩密度よりも１５０％から２００％高い繊維嵩密度を有していてもよい。同様に、コア構成要素の繊維は、周囲構成要素の繊維よりも３０％から５０％小さい繊維径を有し得る。
【００２５】
一実施形態では、筆記具は、本明細書に記載の少なくとも１つのリザーバーおよび／またはロッドと、ペン先とを含み得る。ペン先は、例えば、繊維チップペン、「フェルトチップ」マーカー、ローラーボールペン用のローラーボール芯などのような筆記具の尖った端部を含み得る。特定の実施形態では、筆記具のリザーバーおよび／またはロッドは、インク溶液を保持してペン先に送達するように構成されてもよい。一実施形態では、筆記具のリザーバーおよび／またはロッドは、本明細書に記載されているように構成され得、それによって、インク溶液をペン先に直接流すことができる毛細管ドローを提供し得る。このようにインク液をペン先に直接流すことで、筆記具のインク効率を向上させ、それによって使用者の書き心地を向上させることができる。図４は、例えば、本明細書に記載された少なくとも１つのリザーバーおよび／またはロッド３１０を含む筆記具３００の実施形態の概略図であり、リザーバーおよび／またはロッド３１０からペン先３２０へのインク溶液の毛細管ドローを示す矢印が示されている。
【００２６】
実施例
実施例１
本明細書に記載されているロッドを含むリザーバーを使用して、インクの書き出しテストにおけるインクウィッキング（すなわち、毛細管力）特性を試験した。平均インクレイダウン、筆記距離、および放出されたインクの合計割合を記録した。以下の表１は、本明細書に記載されている不均一繊維流体リザーバーが、従来の均質なインクリザーバーよりも高い初期インクレイダウンおよび高い総インク放出を提供することを示すデータをまとめたものである。
【表１】
2022501226.tif 000003
【００２７】
さらに、図５は、（ｉ）２．０ｇのインク充填量の従来の均質インクリザーバー（破線で灰色に示されたプロファイル）と、（ｉｉ）１．９ｇのインク充填量の本明細書に記載の不均一インクリザーバー（すなわち、従来の均質インクリザーバーよりも約５％少ないインク）（実線で黒色に示されたプロファイル）のインク放出プロファイル（メートルの関数としてのｍｇ／メートルでのレイダウンを伴う）を比較したグラフである。図５は、１．９ｇのインク充填を行った本明細書に記載の不均一リザーバーが、２．０ｇのインク充填を行った従来の均質インクリザーバーと同様に動作したことを示している。言い換えれば、本明細書に記載された不均一リザーバーは、上記の表１に示された改善された結果を提供するために、約５％少ないインクを必要とした。
【００２８】
実施例２
インク放出プロファイルは、（ｉ）６．０グラムのインク充填量の従来の均質インクリザーバー、および（ｉｉ）５．７グラムのインク充填量（すなわち、従来の均質インクリザーバーよりも約５％少ないインク量）の本明細書に記載されている不均一インクリザーバーについても決定された。以下の表２は、本明細書に記載されている不均一繊維流体リザーバー（「不均一」１、２、および３）が、従来の均質インクリザーバー（「均質（対照）」）よりも高い総インク放出量を提供することを示すデータをまとめたものである。
【表２】
2022501226.tif 000004
【００２９】
図６は、得られた結果の代表的なグラフであり、従来の均質インクリザーバーのインク充填量６．０グラムのインク放出プロファイル（「均質」、グレーの破線で示す）と、不均一インクリザーバーのインク充填量５．７グラムのインク放出プロファイル（「不均一（５％少ないインク）」、黒の実線で示す）を、メートルの関数として、レイダウンをｍｇ／メートルで示している。図６が示すように、従来の均質インクリザーバーと比較して、不均一インクリザーバーは、インク量が約５％少ないにもかかわらず、同等の製品寿命と、使用期限の表示を改善するための急峻なドロップオフを示した。
【００３０】
上記の詳細な説明では、本明細書の一部を形成する添付の図面が参照される。図面では、文脈上別段の指示がない限り、通常、同様の記号は、同様の構成要素を示す。詳細な説明、図面、および特許請求の範囲に記載された例示的な実施形態は、限定することを意味するものではない。本明細書に提示された主題の精神または範囲から逸脱することなく、他の実施形態を使用することができ、他の変更を行うことができる。本明細書に一般的に記載され、図に示されている本開示の様々な特徴は、多種多様な異なる構成で配置、置換、結合、分離、および設計することができ、これらのすべてが本明細書で明示的に企図されていることが容易に理解されるであろう。
【００３１】
本開示は、様々な特徴の例示として意図されている、本願に記載された特定の実施形態に関して限定されるべきではない。当業者には明らかなように、その精神と範囲から逸脱することなく、多くの修正と変形が可能である。本明細書で列挙したものに加えて、本開示の範囲内で機能的に等価な方法および装置が、前述の説明から当業者に明らかであろう。そのような修正および変形は、添付の特許請求の範囲内に入ることが意図されている。本開示は、添付の特許請求の範囲と、そのような特許請求の範囲が権利を有する均等物の全範囲によってのみ限定されるものである。本開示は、特定の方法、試薬、化合物、組成物、または生物学的システムに限定されるものではなく、これらはもちろん変化し得るものであることを理解されたい。また、本明細書で使用されている用語は、特定の実施形態を説明することのみを目的としており、限定することを意図していないことも理解されたい。
【００３２】
本明細書における実質的に任意の複数形および／または単数形の用語の使用に関しては、当業者であれば、文脈および／または用途に応じて、複数形から単数形へ、および／または単数形から複数形へと変換することができる。様々な単数／複数の順列は、明確にするために本明細書に明示的に記載することができる。
【００３３】
一般に、本明細書、特に添付の特許請求の範囲（例えば、添付の特許請求の範囲の本文）で使用される用語は、一般に「オープン」な用語として意図されていることは、当業者には理解されるであろう（例えば、「含む（including）」という用語は、「含むが、これに限定されない」と解釈されるべきであり、「有する（having）」という用語は、「少なくとも有する」と解釈されるべきであり、「含む（includes）」という用語は、「含むが、これに限定されない」と解釈されるべきである、など）。様々な組成物、方法、および装置は、様々な構成要素または工程を「有する（comprising）」（「含むが、これに限定されない」を意味すると解釈される）という用語で記載されているが、組成物、方法、および装置は、様々な構成要素および工程「から本質的に成る」または「から成る」こともでき、このような用語は、本質的にクローズドメンバーグループを定義するものと解釈されるべきである。特定の数の導入された請求項の記載が意図されている場合、そのような意図は請求項に明示的に記載され、そのような記載がない場合、そのような意図は存在しないことが当業者によってさらに理解されるであろう。
【００３４】
例えば、理解を助けるために、以下の添付の特許請求の範囲には、請求項の記載を導入するために「少なくとも１つの」および「１つ以上の」という導入語句が使用されている。しかし、このような語句の使用は、不定冠詞「ａ」または「ａｎ」による請求項の導入が、そのような導入された請求項を含む特定の請求項を、そのような請求項を１つだけ含む実施形態に限定することを意味すると解釈すべきではない。同じ請求項が、導入語句「１つ以上」または「少なくとも１つ」および「ａ」または「ａｎ」などの不定冠詞を含む場合であっても（例えば、「ａ」および「ａｎ」は、「少なくとも１つ」または「１つ以上」を意味すると解釈すべきである）。また、請求項の記載に定冠詞を使用する場合も同様である。
【００３５】
また、導入された請求項の記載の具体的な数が明示的に記載されている場合でも、当業者であれば、そのような記載は少なくとも記載された数を意味するように解釈すべきであると認識するでしょう（例えば、他の修飾語を伴わない「２回の再現」という素の記載は、少なくとも２回の再現、または２回以上の再現を意味する）。さらに、「Ａ、ＢおよびＣなどの少なくとも１つ」と類推される慣例が使用されている場合、一般に、そのような構造は、当業者が慣例を理解する意味で意図されている（例えば、「Ａ、ＢおよびＣの少なくとも１つを有するシステム」は、Ａ単独、Ｂ単独、Ｃ単独、ＡとＢが一緒、ＡとＣが一緒、ＢとＣが一緒、および／またはＡ、Ｂ、Ｃが一緒、などのシステムを含むが、これらに限定されない）。「Ａ、ＢまたはＣなどの少なくとも１つ」に類する慣例が使用される場合、一般に、そのような構造は、当業者が慣例を理解する意味で意図されている（例えば、「Ａ、Ｂ、またはＣの少なくとも１つを有するシステム」は、Ａ単独、Ｂ単独、Ｃ単独、ＡとＢが一緒、ＡとＣが一緒、ＢとＣが一緒、および／またはＡ、Ｂ、およびＣが一緒、その他を有するシステムを含むが、これらに限定されないだろう）。当業者であれば、明細書、特許請求の範囲、図面のいずれにおいても、２つ以上の代替的な用語を提示する事実上すべての分離した単語および／または語句は、いずれかの用語、いずれかの用語、または両方の用語を含む可能性を想定していると理解されるであろう。例えば、「ＡまたはＢ」という語句は、「Ａ」または「Ｂ」または「ＡおよびＢ」の可能性を含むと理解される。
【００３６】
さらに、本開示の特徴がマーカッシュ群の観点から説明されている場合、当業者は、本開示がそれによってマーカッシュ群のメンバーの任意の個々のメンバーまたは下位群の観点からも説明されることを認識するであろう。
【００３７】
当業者であれば理解できるであろうが、本明細書に記載されているすべての範囲は、書面による説明を提供するなど、あらゆる目的のために、あらゆる可能な下位範囲およびその下位範囲の組み合わせをも包含している。記載されている任意の範囲は、同じ範囲を少なくとも等しい半分、３分の１、４分の１、５分の１、１０分の１などに分割して十分に記述し、可能にするものとして容易に認識することができる。非限定的な例として、本明細書で述べた各範囲は、下位３分の１、中間３分の１、上位３分の１などに容易に分解することができる。また、当業者であれば理解できるように、「〜まで」、「少なくとも」などの言葉は、記載されている数を含み、その後、上述のように下位範囲に分解できる範囲を指す。最後に、当業者であれば理解できるであろうが、範囲には個々のメンバーが含まれる。したがって、例えば、１〜３本の繊維を有するグループは、１、２、または３本の繊維を有するグループを指す。同様に、１〜５本の繊維を有するグループは、１、２、３、４、または５本の繊維を有するグループを意味するなどである。
【００３８】
「約」という言葉は、例えば、現実世界での測定や取り扱いの手順、これらの手順における不注意なエラー、組成物や試薬の製造、出所、純度の違いなどによって起こり得る数値の変動を意味する。一般的に、本明細書で使用されている「約」という用語は、記載されている値または値の範囲よりも１／１０だけ大きいまたは小さいことを意味し、例えば、±１０％を意味する。また、「約」という用語は、先行技術で実施されている既知の値を包含しない限り、当業者が同等であると認識するであろう変動を意味する。また、「約」という用語が前につく各値または値の範囲は、記載された絶対値または値の範囲の実施形態を包含することが意図されている。「約」という用語で修飾されているか否かにかかわらず、特許請求の範囲に記載されている定量的な値は、記載されている値の等価物、例えば、起こり得るが当業者には等価物と認識されるであろうそのような値の数値量の変動を含む。
【００３９】
以上のような様々な特徴や機能、またはその代替品は、他の多くの異なるシステムや適用に組み合わせることができる。その中の様々な現在予想されていないまたは予期されていない代替品、変更、変形、または改良が、当業者によってその後作られる可能性があり、それらの各々はまた、開示された実施形態に包含されることを意図している。
【図１】
2022501226.tif 000005
【図２】
2022501226.tif 000006
【図３】
2022501226.tif 000007
【図４】
2022501226.tif 000008
【図５】
2022501226.tif 000009
【図６】
2022501226.tif 000010
【国際調査報告】
2022501226.tif 000011